(57)【要約】【課題】本発明は除塵機能を有するＵＳＢ卓上扇風機を開示した。【解決手段】本体と、前記本体の下方に位置した台座とを含み、前記本体の中には左方に開口した羽根チャンバが設置され、前記羽根チャンバの中には隔離網が設置され、前記羽根チャンバの右側端壁の中には動力チャンバが設置され、前記動力チャンバの底壁の中には伝動チャンバが連通するように設置され、前記伝動チャンバの中には扇風機装置が設置され、前記伝動チャンバの底壁の中には揺動チャンバが設置され、前記揺動チャンバの中には揺動装置が設置され、前記本体の底壁の中には歯車チャンバが設置され、前記歯車チャンバの底壁の中には前記台座と固定的に連結された支持柱が回転可能に設置され、前記歯車チャンバの中に前記支持柱の末端には回転ブロックが固定的に設置される。【選択図】図１
2020172920.tif 000002
【特許請求の範囲】
【請求項１】
正面視で、本体と、前記本体の下方に位置した台座とを含み、前記本体の中には左方に開口した羽根チャンバが設置され、前記羽根チャンバの中には隔離網が設置され、前記羽根チャンバの右側端壁の中には動力チャンバが設置され、前記動力チャンバの底壁の中には伝動チャンバが連通するように設置され、前記伝動チャンバの中には扇風機装置が設置され、前記伝動チャンバの底壁の中には揺動チャンバが設置され、前記揺動チャンバの中には揺動装置が設置され、前記本体の底壁の中には歯車チャンバが設置され、前記歯車チャンバの底壁の中には前記台座と固定的に連結された支持柱が回転可能に設置され、前記歯車チャンバの中に前記支持柱の末端には回転ブロックが固定的に設置され、前記回転ブロックの中には上方に開口した雌ネジ付溝が設置され、前記支持柱の中にはラチェットチャンバが設置され、前記ラチェットチャンバと前記雌ネジ付溝との間には第一回転軸が回転可能に設置され、前記雌ネジ付溝の中の前記第一回転軸の末端には第一歯車が固定的に装着され、前記ラチェットチャンバの中の前記第一回転軸の末端にはラチェットと、前記ラチェットの上方に位置した第一傘歯車とが固定的に設置せれ、前記ラチェットチャンバの底壁の中にはターボファンチャンバが設置され、前記ターボファンチャンバの底壁の中には集塵チャンバが設置され、前記集塵チャンバの端壁の中には外部に連通した六十個の空気入穴が設置され、前記集塵チャンバの端壁の中には環状スライド溝が設置され、前記環状スライド溝の中にはスライドできる濾過網が装着され、前記ターボファンチャンバと前記集塵チャンバとの間には通気穴が連通するように設置され、前記集塵チャンバの中には除塵装置が設置されていることを特徴とする除塵機能を有するＵＳＢ卓上扇風機。
【請求項２】
前記扇風機装置は前記羽根チャンバと前記動力チャンバとの間に回転可能に設置された第二回転軸を含み、前記第二回転軸の右側末端は前記動力チャンバの右側端壁の中に固定的に設置されたモータと伝動可能に連結され、前記羽根チャンバの中の前記第二回転軸の末端には羽根が固定的に設置され、前記動力チャンバの中の前記第二回転軸の外表面には第二傘歯車が固定的に設置されていることを特徴とする請求項１に記載の除塵機能を有するＵＳＢ卓上扇風機。
【請求項３】
前記揺動装置は前記伝動チャンバと前記揺動チャンバとの間に回転可能に設置された第三回転軸を含み、前記伝動チャンバの中の前記第三回転軸の末端には前記第二傘歯車と噛み合った第三傘歯車が固定的に設置され、前記揺動チャンバの中の前記第三回転軸の末端には回転盤が固定的に設置され、前記歯車チャンバと前記揺動チャンバとの間には第四回転軸が回転可能に設置され、前記揺動チャンバの中の前記第四回転軸の末端には揺動棒が固定的に設置され、前記揺動棒の中には上下貫通の長穴が設置され、前記長孔の中には前記回転盤と固定的に連結された固定棒がスライド可能に設置され、前記歯車チャンバの中の前記第四回転軸の末端には前記第一歯車と雌ネジ付溝と噛み合った第二歯車が固定的に設置されていることを特徴とする請求項１に記載の除塵機能を有するＵＳＢ卓上扇風機。
【請求項４】
前記集塵装置は前記ラチェットチャンバの左右端壁の中に対称的に設置されたカムチャンバを含み、前記カムチャンバと前記ラチェットチャンバとの間には第五回転軸が回転可能に設置され、前記カムチャンバの中の前記第五回転軸の末端にはカムが固定的に設置され、前記ラチェットチャンバの中の前記第五回転軸の末端には前記第一傘歯車と噛み合った第四傘歯車が固定的に設置され、前記カムチャンバと前記環状スライド溝との間にはスライド穴が連通するように設置され、前記スライド穴の中には前記濾過網と固定的に連結されたスライド棒がスライド可能に設置され、前記スライド棒と前記スライド穴の端壁との間には復帰装置が弾性を持つように設置され、前記ラチェットチャンバと前記ターボファンチャンバとの間には第六回転軸が回転可能に設置され、前記ラチェットチャンバの中の前記第六回転軸の末端には前記ラチェットと協働できるラチェット歯溝が固定的に設置され、前記ターボファンチャンバの中の前記第六回転軸の末端には排気ファンが固定的に設置され、前記ターボファンチャンバの端壁の中には前記羽根チャンバに連通した八組の可撓管が設置されていることを特徴とする請求項１に記載の除塵機能を有するＵＳＢ卓上扇風機。
【発明の詳細な説明】
【技術分野】
【０００１】
本発明は家電製品に関し、具体的には除塵機能を有するＵＳＢ卓上扇風機に関する。
【背景技術】
【０００２】
人が集まると空気がよどんでしまう。特に熱い夏の日に、伝統的なクーリング扇風機は送風によるクーリングしか実現できなく、空気中の埃問題の解決に効かず、しかも伝統的な小型ＵＳＢ扇風機の送風角度が固定されており、長時間に渡って使用すると、体に悪影響をもたらす恐れがある。そのため、除塵も首振りもできるＵＳＢ扇風機をデザインして上記問題を改善することが必要である。
【先行技術文献】
【特許文献】
【０００３】
【特許文献１】中国特許出願公開第106640698号明細書
【発明の概要】
【発明が解決しようとする課題】
【０００４】
本発明の目的は除塵機能を有するＵＳＢ卓上扇風機を提供し、それは上記の現在の技術中の問題を解決できる。
【課題を解決するための手段】
【０００５】
上記の課題を解決するため、本発明は以下の技術プランを採用する：本体と、前記本体の下方に位置した台座とを含み、前記本体の中には左方に開口した羽根チャンバが設置され、前記羽根チャンバの中には隔離網が設置され、前記羽根チャンバの右側端壁の中には動力チャンバが設置され、前記動力チャンバの底壁の中には伝動チャンバが連通するように設置され、前記伝動チャンバの中には扇風機装置が設置され、前記伝動チャンバの底壁の中には揺動チャンバが設置され、前記揺動チャンバの中には揺動装置が設置され、前記本体の底壁の中には歯車チャンバが設置され、前記歯車チャンバの底壁の中には前記台座と固定的に連結された支持柱が回転可能に設置され、前記歯車チャンバの中に前記支持柱の末端には回転ブロックが固定的に設置され、前記回転ブロックの中には上方に開口した雌ネジ付溝が設置され、前記支持柱の中にはラチェットチャンバが設置され、前記ラチェットチャンバと前記雌ネジ付溝との間には第一回転軸が回転可能に設置され、前記雌ネジ付溝の中の前記第一回転軸の末端には第一歯車が固定的に装着され、前記ラチェットチャンバの中の前記第一回転軸の末端にはラチェットと、前記ラチェットの上方に位置した第一傘歯車とが固定的に設置せれ、前記ラチェットチャンバの底壁の中にはターボファンチャンバが設置され、前記ターボファンチャンバの底壁の中には集塵チャンバが設置され、前記集塵チャンバの端壁の中には外部に連通した六十個の空気入穴が設置され、前記集塵チャンバの端壁の中には環状スライド溝が設置され、前記環状スライド溝の中にはスライドできる濾過網が装着され、前記ターボファンチャンバと前記集塵チャンバとの間には通気穴が連通するように設置され、前記集塵チャンバの中には除塵装置が設置されている。
【０００６】
優選的には、前記扇風機装置は前記羽根チャンバと前記動力チャンバとの間に回転可能に設置された第二回転軸を含み、前記第二回転軸の右側末端は前記動力チャンバの右側端壁の中に固定的に設置されたモータと伝動可能に連結され、前記羽根チャンバの中の前記第二回転軸の末端には羽根が固定的に設置され、前記動力チャンバの中の前記第二回転軸の外表面には第二傘歯車が固定的に設置されている。
【０００７】
優選的には、前記揺動装置は前記伝動チャンバと前記揺動チャンバとの間に回転可能に設置された第三回転軸を含み、前記伝動チャンバの中の前記第三回転軸の末端には前記第二傘歯車と噛み合った第三傘歯車が固定的に設置され、前記揺動チャンバの中の前記第三回転軸の末端には回転盤が固定的に設置され、前記歯車チャンバと前記揺動チャンバとの間には第四回転軸が回転可能に設置され、前記揺動チャンバの中の前記第四回転軸の末端には揺動棒が固定的に設置され、前記揺動棒の中には上下貫通の長穴が設置され、前記長孔の中には前記回転盤と固定的に連結された固定棒がスライド可能に設置され、前記歯車チャンバの中の前記第四回転軸の末端には前記第一歯車と雌ネジ付溝と噛み合った第二歯車が固定的に設置されている。
【０００８】
優選的には、前記集塵装置は前記ラチェットチャンバの左右端壁の中に対称的に設置されたカムチャンバを含み、前記カムチャンバと前記ラチェットチャンバとの間には第五回転軸が回転可能に設置され、前記カムチャンバの中の前記第五回転軸の末端にはカムが固定的に設置され、前記ラチェットチャンバの中の前記第五回転軸の末端には前記第一傘歯車と噛み合った第四傘歯車が固定的に設置され、前記カムチャンバと前記環状スライド溝との間にはスライド穴が連通するように設置され、前記スライド穴の中には前記濾過網と固定的に連結されたスライド棒がスライド可能に設置され、前記スライド棒と前記スライド穴の端壁との間には復帰装置が弾性を持つように設置され、前記ラチェットチャンバと前記ターボファンチャンバとの間には第六回転軸が回転可能に設置され、前記ラチェットチャンバの中の前記第六回転軸の末端には前記ラチェットと協働できるラチェット歯溝が固定的に設置され、前記ターボファンチャンバの中の前記第六回転軸の末端には排気ファンが固定的に設置され、前記ターボファンチャンバの端壁の中には前記羽根チャンバに連通した八組の可撓管が設置されている。
【発明の効果】
【０００９】
上記の詳しい説明から、本発明は同一動力源を使って羽根を回転連動させると同時に本体を揺動連動させ、本発明の送風範囲を広げる一方で、上記動力源を使って除塵装置を連動させて空気の除塵を行い、本発明の周辺の空気を浄化するに加えて、浄化後の空気を羽根によって排出し、使用者にろ過後の空気を提供し、本発明の実用度を上げ、より高い使用価値と宣伝価値を有する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の除塵機能を有するＵＳＢ卓上扇風機の全体構造略図
【図２】図２は図１におけるＡの拡大構造略図
【図３】図３は図１の右面図
【図４】図４は図１におけるＢの拡大構造略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４の示すように、本発明の除塵機能を有するＵＳＢ卓上扇風機は、本体１０と、前記本体１０の下方に位置した台座２１とを含み、前記本体１０の中には左方に開口した羽根チャンバ１４が設置され、前記羽根チャンバ１４の中には隔離網１８が設置され、前記羽根チャンバ１４の右側端壁の中には動力チャンバ３３が設置され、前記動力チャンバ３３の底壁の中には伝動チャンバ３０が連通するように設置され、前記伝動チャンバ３０の中には扇風機装置１００が設置され、前記伝動チャンバ３０の底壁の中には揺動チャンバ１５が設置され、前記揺動チャンバ１５の中には揺動装置２００が設置され、前記本体１０の底壁の中には歯車チャンバ１７が設置され、前記歯車チャンバ１７の底壁の中には前記台座２１と固定的に連結された支持柱２３が回転可能に設置され、前記歯車チャンバ１７の中に前記支持柱２３の末端には回転ブロック３７が固定的に設置され、前記回転ブロック３７の中には上方に開口した雌ネジ付溝３６が設置され、前記支持柱２３の中にはラチェットチャンバ４４が設置され、前記ラチェットチャンバ４４と前記雌ネジ付溝３６との間には第一回転軸３８が回転可能に設置され、前記雌ネジ付溝３６の中の前記第一回転軸３８の末端には第一歯車３５が固定的に装着され、前記ラチェットチャンバ４４の中の前記第一回転軸３８の末端にはラチェット４６と、前記ラチェット４６の上方に位置した第一傘歯車４７とが固定的に設置せれ、前記ラチェットチャンバ４４の底壁の中にはターボファンチャンバ４１が設置され、前記ターボファンチャンバ４１の底壁の中には集塵チャンバ１９が設置され、前記集塵チャンバ１９の端壁の中には外部に連通した六十個の空気入穴２０が設置され、前記集塵チャンバ１９の端壁の中には環状スライド溝５５が設置され、前記環状スライド溝５５の中にはスライドできる濾過網２２が装着され、前記ターボファンチャンバ４１と前記集塵チャンバ１９との間には通気穴３９が連通するように設置され、前記集塵チャンバ１９の中には除塵装置３００が設置されている。
【００１４】
有益的には、前記扇風機装置１００は前記羽根チャンバ１４と前記動力チャンバ３３との間に回転可能に設置された第二回転軸１３を含み、前記第二回転軸１３の右側末端は前記動力チャンバ３３の右側端壁の中に固定的に設置されたモータ３１と伝動可能に連結され、前記羽根チャンバ１４の中の前記第二回転軸１３の末端には羽根１２が固定的に設置され、前記動力チャンバ３３の中の前記第二回転軸１３の外表面には第二傘歯車３２が固定的に設置されている。
【００１５】
有益的には、前記揺動装置２００は前記伝動チャンバ３０と前記揺動チャンバ１５との間に回転可能に設置された第三回転軸２８を含み、前記伝動チャンバ３０の中の前記第三回転軸２８の末端には前記第二傘歯車３２と噛み合った第三傘歯車２９が固定的に設置され、前記揺動チャンバ１５の中の前記第三回転軸２８の末端には回転盤２７が固定的に設置され、前記歯車チャンバ１７と前記揺動チャンバ１５との間には第四回転軸１６が回転可能に設置され、前記揺動チャンバ１５の中の前記第四回転軸１６の末端には揺動棒２５が固定的に設置され、前記揺動棒２５の中には上下貫通の長穴２４が設置され、前記長孔２４の中には前記回転盤２７と固定的に連結された固定棒２６がスライド可能に設置され、前記歯車チャンバ１７の中の前記第四回転軸１６の末端には前記第一歯車３５と雌ネジ付溝３６と噛み合った第二歯車３４が固定的に設置されている。
【００１６】
有益的には、前記集塵装置３００は前記ラチェットチャンバ４４の左右端壁の中に対称的に設置されたカムチャンバ４８を含み、前記カムチャンバ４８と前記ラチェットチャンバ４４との間には第五回転軸５１が回転可能に設置され、前記カムチャンバ４８の中の前記第五回転軸５１の末端にはカム５０が固定的に設置され、前記ラチェットチャンバ４４の中の前記第五回転軸５１の末端には前記第一傘歯車４７と噛み合った第四傘歯車４９が固定的に設置され、前記カムチャンバ４８と前記環状スライド溝５５との間にはスライド穴５３が連通するように設置され、前記スライド穴５３の中には前記濾過網２２と固定的に連結されたスライド棒５４がスライド可能に設置され、前記スライド棒５４と前記スライド穴５３の端壁との間には復帰装置５２が弾性を持つように設置され、前記ラチェットチャンバ４４と前記ターボファンチャンバ４１との間には第六回転軸４３が回転可能に設置され、前記ラチェットチャンバ４４の中の前記第六回転軸４３の末端には前記ラチェット４６と協働できるラチェット歯溝４５が固定的に設置され、前記ターボファンチャンバ４１の中の前記第六回転軸４３の末端には排気ファン４０が固定的に設置され、前記ターボファンチャンバ４１の端壁の中には前記羽根チャンバ１４に連通した八組の可撓管１１が設置されている。
【００１７】
下記に、付図１〜４と上記の本発明の具体的な構成とを合わせて本発明の使用方法を紹介する：
【００１８】
モータ３１を起動し、モータ３１が回転して第二傘歯車３２を連動させることで、第三傘歯車２９を回転連動させ、更に回転盤２７を回転連動させ、それにより揺動棒２５を往復に揺動連動させて第二歯車３４を正逆方向に回転連動させ、雌ネジ付溝３６が固定されているため、第二歯車３４は雌ネジ付溝３６に沿って回転して本体１０を揺動連動させると同時に、第二歯車３４は正逆方向に回転して第一歯車３５を正逆方向に回転連動させ、それにより第一傘歯車４７とラチェット４６とを連動させて正逆方向に回転させ、ラチェット４６の正逆方向への運動はラチェット歯溝４５の間欠的な片方向の運動を連動させることで、排気ファン４５が連動して回転し、排気ファン４５が回転して空気を空気入穴２０から集塵チャンバ１９の中に入らせ、空気が濾過網２２にろ過された後可撓管１１を経由して羽根チャンバ１４の中に入ると同時に、空気中の埃は濾過網２２の外表面に残り、第一傘歯車４７は正逆方向に回転して第四傘歯車４７及びカム５０を正逆方向に回転連動させることでスライド棒５４を上下に振り、それにより濾過網２２に覆ってある埃を集塵チャンバ１９の中に振り落とし、モータ３１が回転している間に羽根１２はずっとモータ３１に従って回転し、ろ過後の空気を本発明の外部に噴き出し、送風を実現する。
【００１９】
上記の詳しい説明から、本発明は同一動力源を使って羽根を回転連動させると同時に本体を揺動連動させ、本発明の送風範囲を広げる一方で、上記動力源を使って除塵装置を連動させて空気の除塵を行い、本発明の周辺の空気を浄化するに加えて、浄化後の空気を羽根によって排出し、使用者にろ過後の空気を提供し、本発明の実用度を上げ、より高い使用価値と宣伝価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020172920.tif 000003
【図２】
2020172920.tif 000004
【図３】
2020172920.tif 000005
【図４】
2020172920.tif 000006
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
正面視で、本体と、前記本体の下方に位置した台座とを含み、前記本体の中には左方に開口した羽根チャンバが設置され、前記羽根チャンバの中には隔離網が設置され、前記羽根チャンバの右側端壁の中には動力チャンバが設置され、前記動力チャンバの底壁の中には伝動チャンバが連通するように設置され、前記伝動チャンバの中には羽根装置が設置され、前記伝動チャンバの底壁の中には揺動チャンバが設置され、前記揺動チャンバの中には揺動装置が設置され、前記本体の底壁の中には歯車チャンバが設置され、前記歯車チャンバの底壁の中には前記台座と固定的に連結された支持柱が回転可能に設置され、前記歯車チャンバの中に前記支持柱の末端には回転ブロックが固定的に設置され、前記回転ブロックの中には上方に開口した雌ネジ付溝が設置され、前記支持柱の中にはラチェットチャンバが設置され、前記ラチェットチャンバと前記雌ネジ付溝との間には第一回転軸が回転可能に設置され、前記雌ネジ付溝の中の前記第一回転軸の末端には第一歯車が固定的に装着され、前記ラチェットチャンバの中の前記第一回転軸の末端にはラチェットと、前記ラチェットの上方に位置した第一傘歯車とが固定的に設置され、前記ラチェットチャンバの底壁の中にはターボファンチャンバが設置され、前記ターボファンチャンバの底壁の中には集塵チャンバが設置され、前記集塵チャンバの端壁の中には外部に連通した六十個の空気入穴が設置され、前記集塵チャンバの端壁の中には環状スライド溝が設置され、前記環状スライド溝の中にはスライドできる濾過網が装着され、前記ターボファンチャンバと前記集塵チャンバとの間には通気穴が連通するように設置され、前記集塵チャンバの中には除塵装置が設置されており、
前記除塵装置は前記ラチェットチャンバの左右端壁の中に対称的に設置されたカムチャンバを含み、前記カムチャンバと前記ラチェットチャンバとの間には第五回転軸が回転可能に設置され、前記カムチャンバの中の前記第五回転軸の末端にはカムが固定的に設置され、前記ラチェットチャンバの中の前記第五回転軸の末端には前記第一傘歯車と噛み合った第四傘歯車が固定的に設置され、前記カムチャンバと前記環状スライド溝との間にはスライド穴が連通するように設置され、前記スライド穴の中には前記濾過網と固定的に連結されたスライド棒がスライド可能に設置され、前記スライド棒と前記スライド穴の端壁との間には復帰装置が弾性を持つように設置され、前記ラチェットチャンバと前記ターボファンチャンバとの間には第六回転軸が回転可能に設置され、前記ラチェットチャンバの中の前記第六回転軸の末端には前記ラチェットと協働できるラチェット歯溝が固定的に設置され、前記ターボファンチャンバの中の前記第六回転軸の末端には排気ファンが固定的に設置され、前記ターボファンチャンバの端壁の中には前記羽根チャンバに連通した八組の可撓管が設置されていることを特徴とする除塵機能を有するＵＳＢ卓上扇風機。
【請求項２】
前記羽根装置は前記羽根チャンバと前記動力チャンバとの間に回転可能に設置された第二回転軸を含み、前記第二回転軸の右側末端は前記動力チャンバの右側端壁の中に固定的に設置されたモータと伝動可能に連結され、前記羽根チャンバの中の前記第二回転軸の末端には羽根が固定的に設置され、前記動力チャンバの中の前記第二回転軸の外表面には第二傘歯車が固定的に設置されていることを特徴とする請求項１に記載の除塵機能を有するＵＳＢ卓上扇風機。
【請求項３】
前記揺動装置は前記伝動チャンバと前記揺動チャンバとの間に回転可能に設置された第三回転軸を含み、前記伝動チャンバの中の前記第三回転軸の末端には前記第二傘歯車と噛み合った第三傘歯車が固定的に設置され、前記揺動チャンバの中の前記第三回転軸の末端には回転盤が固定的に設置され、前記歯車チャンバと前記揺動チャンバとの間には第四回転軸が回転可能に設置され、前記揺動チャンバの中の前記第四回転軸の末端には揺動棒が固定的に設置され、前記揺動棒の中には上下貫通の長穴が設置され、前記長穴の中には前記回転盤と固定的に連結された固定棒がスライド可能に設置され、前記歯車チャンバの中の前記第四回転軸の末端には前記第一歯車と雌ネジ付溝と噛み合った第二歯車が固定的に設置されていることを特徴とする請求項２に記載の除塵機能を有するＵＳＢ卓上扇風機。
【手続補正２】
【補正対象書類名】明細書
【補正対象項目名】全文
【補正方法】変更
【補正の内容】
【発明の詳細な説明】
【技術分野】
【０００１】
本発明は家電製品に関し、具体的には除塵機能を有するＵＳＢ卓上扇風機に関する。
【背景技術】
【０００２】
人が集まると空気がよどんでしまう。特に熱い夏の日に、伝統的なクーリング扇風機は送風によるクーリングしか実現できなく、空気中の埃問題の解決に効かず、しかも伝統的な小型ＵＳＢ扇風機の送風角度が固定されており、長時間に渡って使用すると、体に悪影響をもたらす恐れがある。そのため、除塵も首振りもできるＵＳＢ扇風機をデザインして上記問題を改善することが必要である。
【先行技術文献】
【特許文献】
【０００３】
【特許文献１】中国特許出願公開第106640698号明細書
【発明の概要】
【発明が解決しようとする課題】
【０００４】
本発明の目的は除塵機能を有するＵＳＢ卓上扇風機を提供し、それは上記の現在の技術中の問題を解決できる。
【課題を解決するための手段】
【０００５】
上記の課題を解決するため、本発明は以下の技術プランを採用する：本体と、前記本体の下方に位置した台座とを含み、前記本体の中には左方に開口した羽根チャンバが設置され、前記羽根チャンバの中には隔離網が設置され、前記羽根チャンバの右側端壁の中には動力チャンバが設置され、前記動力チャンバの底壁の中には伝動チャンバが連通するように設置され、前記伝動チャンバの中には羽根装置が設置され、前記伝動チャンバの底壁の中には揺動チャンバが設置され、前記揺動チャンバの中には揺動装置が設置され、前記本体の底壁の中には歯車チャンバが設置され、前記歯車チャンバの底壁の中には前記台座と固定的に連結された支持柱が回転可能に設置され、前記歯車チャンバの中に前記支持柱の末端には回転ブロックが固定的に設置され、前記回転ブロックの中には上方に開口した雌ネジ付溝が設置され、前記支持柱の中にはラチェットチャンバが設置され、前記ラチェットチャンバと前記雌ネジ付溝との間には第一回転軸が回転可能に設置され、前記雌ネジ付溝の中の前記第一回転軸の末端には第一歯車が固定的に装着され、前記ラチェットチャンバの中の前記第一回転軸の末端にはラチェットと、前記ラチェットの上方に位置した第一傘歯車とが固定的に設置され、前記ラチェットチャンバの底壁の中にはターボファンチャンバが設置され、前記ターボファンチャンバの底壁の中には集塵チャンバが設置され、前記集塵チャンバの端壁の中には外部に連通した六十個の空気入穴が設置され、前記集塵チャンバの端壁の中には環状スライド溝が設置され、前記環状スライド溝の中にはスライドできる濾過網が装着され、前記ターボファンチャンバと前記集塵チャンバとの間には通気穴が連通するように設置され、前記集塵チャンバの中には除塵装置が設置されている。
【０００６】
優選的には、前記羽根装置は前記羽根チャンバと前記動力チャンバとの間に回転可能に設置された第二回転軸を含み、前記第二回転軸の右側末端は前記動力チャンバの右側端壁の中に固定的に設置されたモータと伝動可能に連結され、前記羽根チャンバの中の前記第二回転軸の末端には羽根が固定的に設置され、前記動力チャンバの中の前記第二回転軸の外表面には第二傘歯車が固定的に設置されている。
【０００７】
優選的には、前記揺動装置は前記伝動チャンバと前記揺動チャンバとの間に回転可能に設置された第三回転軸を含み、前記伝動チャンバの中の前記第三回転軸の末端には前記第二傘歯車と噛み合った第三傘歯車が固定的に設置され、前記揺動チャンバの中の前記第三回転軸の末端には回転盤が固定的に設置され、前記歯車チャンバと前記揺動チャンバとの間には第四回転軸が回転可能に設置され、前記揺動チャンバの中の前記第四回転軸の末端には揺動棒が固定的に設置され、前記揺動棒の中には上下貫通の長穴が設置され、前記長穴の中には前記回転盤と固定的に連結された固定棒がスライド可能に設置され、前記歯車チャンバの中の前記第四回転軸の末端には前記第一歯車と雌ネジ付溝と噛み合った第二歯車が固定的に設置されている。
【０００８】
優選的には、前記除塵装置は前記ラチェットチャンバの左右端壁の中に対称的に設置されたカムチャンバを含み、前記カムチャンバと前記ラチェットチャンバとの間には第五回転軸が回転可能に設置され、前記カムチャンバの中の前記第五回転軸の末端にはカムが固定的に設置され、前記ラチェットチャンバの中の前記第五回転軸の末端には前記第一傘歯車と噛み合った第四傘歯車が固定的に設置され、前記カムチャンバと前記環状スライド溝との間にはスライド穴が連通するように設置され、前記スライド穴の中には前記濾過網と固定的に連結されたスライド棒がスライド可能に設置され、前記スライド棒と前記スライド穴の端壁との間には復帰装置が弾性を持つように設置され、前記ラチェットチャンバと前記ターボファンチャンバとの間には第六回転軸が回転可能に設置され、前記ラチェットチャンバの中の前記第六回転軸の末端には前記ラチェットと協働できるラチェット歯溝が固定的に設置され、前記ターボファンチャンバの中の前記第六回転軸の末端には排気ファンが固定的に設置され、前記ターボファンチャンバの端壁の中には前記羽根チャンバに連通した八組の可撓管が設置されている。
【発明の効果】
【０００９】
上記の詳しい説明から、本発明は同一動力源を使って羽根を回転連動させると同時に本体を揺動連動させ、本発明の送風範囲を広げる一方で、上記動力源を使って除塵装置を連動させて空気の除塵を行い、本発明の周辺の空気を浄化するに加えて、浄化後の空気を羽根によって排出し、使用者にろ過後の空気を提供し、本発明の実用度を上げ、より高い使用価値と宣伝価値を有する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の除塵機能を有するＵＳＢ卓上扇風機の全体構造略図
【図２】図２は図１におけるＡの拡大構造略図
【図３】図３は図１の右面図
【図４】図４は図１におけるＢの拡大構造略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４の示すように、本発明の除塵機能を有するＵＳＢ卓上扇風機は、本体１０と、前記本体１０の下方に位置した台座２１とを含み、前記本体１０の中には左方に開口した羽根チャンバ１４が設置され、前記羽根チャンバ１４の中には隔離網１８が設置され、前記羽根チャンバ１４の右側端壁の中には動力チャンバ３３が設置され、前記動力チャンバ３３の底壁の中には伝動チャンバ３０が連通するように設置され、前記伝動チャンバ３０の中には羽根装置１００が設置され、前記伝動チャンバ３０の底壁の中には揺動チャンバ１５が設置され、前記揺動チャンバ１５の中には揺動装置２００が設置され、前記本体１０の底壁の中には歯車チャンバ１７が設置され、前記歯車チャンバ１７の底壁の中には前記台座２１と固定的に連結された支持柱２３が回転可能に設置され、前記歯車チャンバ１７の中に前記支持柱２３の末端には回転ブロック３７が固定的に設置され、前記回転ブロック３７の中には上方に開口した雌ネジ付溝３６が設置され、前記支持柱２３の中にはラチェットチャンバ４４が設置され、前記ラチェットチャンバ４４と前記雌ネジ付溝３６との間には第一回転軸３８が回転可能に設置され、前記雌ネジ付溝３６の中の前記第一回転軸３８の末端には第一歯車３５が固定的に装着され、前記ラチェットチャンバ４４の中の前記第一回転軸３８の末端にはラチェット４６と、前記ラチェット４６の上方に位置した第一傘歯車４７とが固定的に設置され、前記ラチェットチャンバ４４の底壁の中にはターボファンチャンバ４１が設置され、前記ターボファンチャンバ４１の底壁の中には集塵チャンバ１９が設置され、前記集塵チャンバ１９の端壁の中には外部に連通した六十個の空気入穴２０が設置され、前記集塵チャンバ１９の端壁の中には環状スライド溝５５が設置され、前記環状スライド溝５５の中にはスライドできる濾過網２２が装着され、前記ターボファンチャンバ４１と前記集塵チャンバ１９との間には通気穴３９が連通するように設置され、前記集塵チャンバ１９の中には除塵装置３００が設置されている。
【００１４】
有益的には、前記羽根装置１００は前記羽根チャンバ１４と前記動力チャンバ３３との間に回転可能に設置された第二回転軸１３を含み、前記第二回転軸１３の右側末端は前記動力チャンバ３３の右側端壁の中に固定的に設置されたモータ３１と伝動可能に連結され、前記羽根チャンバ１４の中の前記第二回転軸１３の末端には羽根１２が固定的に設置され、前記動力チャンバ３３の中の前記第二回転軸１３の外表面には第二傘歯車３２が固定的に設置されている。
【００１５】
有益的には、前記揺動装置２００は前記伝動チャンバ３０と前記揺動チャンバ１５との間に回転可能に設置された第三回転軸２８を含み、前記伝動チャンバ３０の中の前記第三回転軸２８の末端には前記第二傘歯車３２と噛み合った第三傘歯車２９が固定的に設置され、前記揺動チャンバ１５の中の前記第三回転軸２８の末端には回転盤２７が固定的に設置され、前記歯車チャンバ１７と前記揺動チャンバ１５との間には第四回転軸１６が回転可能に設置され、前記揺動チャンバ１５の中の前記第四回転軸１６の末端には揺動棒２５が固定的に設置され、前記揺動棒２５の中には上下貫通の長穴２４が設置され、前記長穴２４の中には前記回転盤２７と固定的に連結された固定棒２６がスライド可能に設置され、前記歯車チャンバ１７の中の前記第四回転軸１６の末端には前記第一歯車３５と雌ネジ付溝３６と噛み合った第二歯車３４が固定的に設置されている。
【００１６】
有益的には、前記除塵装置３００は前記ラチェットチャンバ４４の左右端壁の中に対称的に設置されたカムチャンバ４８を含み、前記カムチャンバ４８と前記ラチェットチャンバ４４との間には第五回転軸５１が回転可能に設置され、前記カムチャンバ４８の中の前記第五回転軸５１の末端にはカム５０が固定的に設置され、前記ラチェットチャンバ４４の中の前記第五回転軸５１の末端には前記第一傘歯車４７と噛み合った第四傘歯車４９が固定的に設置され、前記カムチャンバ４８と前記環状スライド溝５５との間にはスライド穴５３が連通するように設置され、前記スライド穴５３の中には前記濾過網２２と固定的に連結されたスライド棒５４がスライド可能に設置され、前記スライド棒５４と前記スライド穴５３の端壁との間には復帰装置５２が弾性を持つように設置され、前記ラチェットチャンバ４４と前記ターボファンチャンバ４１との間には第六回転軸４３が回転可能に設置され、前記ラチェットチャンバ４４の中の前記第六回転軸４３の末端には前記ラチェット４６と協働できるラチェット歯溝４５が固定的に設置され、前記ターボファンチャンバ４１の中の前記第六回転軸４３の末端には排気ファン４０が固定的に設置され、前記ターボファンチャンバ４１の端壁の中には前記羽根チャンバ１４に連通した八組の可撓管１１が設置されている。
【００１７】
下記に、付図１〜４と上記の本発明の具体的な構成とを合わせて本発明の使用方法を紹介する：
【００１８】
モータ３１を起動し、モータ３１が回転して第二傘歯車３２を連動させることで、第三傘歯車２９を回転連動させ、更に回転盤２７を回転連動させ、それにより揺動棒２５を往復に揺動連動させて第二歯車３４を正逆方向に回転連動させ、雌ネジ付溝３６が固定されているため、第二歯車３４は雌ネジ付溝３６に沿って回転して本体１０を揺動連動させると同時に、第二歯車３４は正逆方向に回転して第一歯車３５を正逆方向に回転連動させ、それにより第一傘歯車４７とラチェット４６とを連動させて正逆方向に回転させ、ラチェット４６の正逆方向への運動はラチェット歯溝４５の間欠的な片方向の運動を連動させることで、排気ファン４５が連動して回転し、排気ファン４５が回転して空気を空気入穴２０から集塵チャンバ１９の中に入らせ、空気が濾過網２２にろ過された後可撓管１１を経由して羽根チャンバ１４の中に入ると同時に、空気中の埃は濾過網２２の外表面に残り、第一傘歯車４７は正逆方向に回転して第四傘歯車４７及びカム５０を正逆方向に回転連動させることでスライド棒５４を上下に振り、それにより濾過網２２に覆ってある埃を集塵チャンバ１９の中に振り落とし、モータ３１が回転している間に羽根１２はずっとモータ３１に従って回転し、ろ過後の空気を本発明の外部に噴き出し、送風を実現する。
【００１９】
上記の詳しい説明から、本発明は同一動力源を使って羽根を回転連動させると同時に本体を揺動連動させ、本発明の送風範囲を広げる一方で、上記動力源を使って除塵装置を連動させて空気の除塵を行い、本発明の周辺の空気を浄化するに加えて、浄化後の空気を羽根によって排出し、使用者にろ過後の空気を提供し、本発明の実用度を上げ、より高い使用価値と宣伝価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。